(57)【特許請求の範囲】
【請求項１】
水路（１）を横切ってスクリーン（２）を設置し、
フレーム（３）を、その一部で該水路（１）の該スクリーン（２）位置の直上を跨がせて、設立し、
該フレーム（３）にホイスト（４）を該スクリーン（２）の直上に対し進退自在に架設し、
該ホイスト（４）に、該スクリーン（２）の面に対し昇降自在に、バケット（５）を傾吊し、
該バケット（５）の傾斜方向下端にその基板（６）に対し起伏自在の煽り壁（７）を設けたことを特徴とする簡易除塵装置。
【請求項２】
該スクリーン（２）の設置は該水路（１）に介設された枡（１１）内でなされている請求項１に記載の簡易除塵装置。
【請求項３】
該バケット（５）は枠部材（１２）とメッシュ（１３）で構成されている請求項１に記載の簡易除塵装置。
【請求項４】
該煽り壁（７）の揺動は電動機（２１）、互いに協働する一対のリミットスイッチ（２２，２３）によって制御される請求項１、２又は３に記載の簡易除塵装置。
【発明の詳細な説明】
【０００１】
【発明の属する技術分野】
本発明は、水路に設置されたスクリーンに引っかかる藻、草、枯れ枝、塵埃等の諸々を、人手を使わずに取り除く簡易除塵装置に関する。
【０００２】
【従来の技術】
水路のスクリーンに引っかかった塵等は、随時人手により、熊手等を用いて取り除かれている。
【０００３】
【発明が解決しようとする課題】
枯れ枝等は嵩張って処理に手間取り、塵の種類にもよるが大量に集まると重量が大となって排出に困難を来す場合がある。
本発明は水路に関連して設置することにより、人手によらずにスクリーンに引っかかった塵等を簡単に排除する簡易除塵装置を提供することを目的とする。
【０００４】
【課題を解決するための手段】
本発明にかかる簡易除塵装置は、水路を横切ってスクリーンを設置する。フレームを、その一部で該水路の該スクリーン位置の直上を跨がせて、設立する。該フレームにホイストを該スクリーンの直上に対し進退自在に架設する。該ホイストに、該スクリーンの面に対し昇降自在に、バケットを傾吊する。そして、該バケットの傾斜方向下端に、その基板に対し起伏自在の煽り壁を設ける。
【０００５】
スクリーンは直接水路を横断して設置されてもよいが、通常は除塵等の目的で水路に介在させた枡内に設置される。設置角度は水路の横断面と平行でもよいが、
下部を上流側に向け、上部を下流側に向けるのが一般的で、塵等を上層に浮上させるのに都合がよい。
【０００６】
フレームにはガイドレールが設置され、ホイストはこのガイドレールによって自身の移動を案内され、スクリーンの直上位置から、塵等を排出する場所の直上位置の間を往復動する。
【０００７】
バケットはホイストにワイヤー等により昇降自在に傾吊される。傾吊の仕方は適当でよいが、バケットに基板の外周縁から立ち上がった一つ以上の壁があるときは、その一つの壁の外面にワイヤーを連結する。これにより、バケットは、この一つの壁が上位置で対向する壁が下位置となる、傾いた状態でワイヤーに吊支される。
【０００８】
この対向する壁が起伏自在の煽り壁とされる。塵等の掬い取りに都合よくしたものである。この煽り壁は、通常、基板に壁をヒンジで連結して、構成される。煽り壁を伏せた状態でバケットを吊り降ろしてやると、煽り壁の遊端がスクリーンに当たり、スクリーンに沿って降下しながらスクリーンに引っかかっている塵等をバケット内に掬い取ってゆく。掬い取りを終えたら煽り壁を起こしてやる。これにより、バケット内に塵等が収容される。
【０００９】
煽り壁の起伏は、煽り壁の遊端にワイヤーを連結し、このワイヤーを地上で引いたり、弛ませたりすればよい。バケットがスクリーンに当接した状態では、ワイヤーをいくら弛ませても、煽り壁は、その遊端がスクリーンに当たって、それ以上揺動しない。
【００１０】
煽り壁を起こした状態でホイストを起動してバケットを吊り上げ、次いで、ホイストをフレームに沿って移動させる。排出場所に来たら、バケットを吊り降ろし、煽り壁を伏せると塵等は排出場所に排出される。
【００１１】
該スクリーンの設置は該水路に介設された枡内でなされていてもよい。
こうすると、水路の断面が広くなり、大きいスクリーンの設置が可能で、スクリーンの広い面で集塵でき、除塵装置の大型化も可能となる。
【００１２】
該バケットは枠部材とメッシュで構成されていてもよい。
こうすると、水分はメッシュを通って流出するので、重量が軽くなり、ホイストの駆動系に余計な負荷を掛けないで済む。
【００１３】
該煽り壁の起伏は電動機及びリミットスイッチによって制御されていてもよい。
こうすると、ボタン操作により煽り壁を起伏するので、労力を省ける。
【００１４】
【発明実施の形態】
１は水路、２はスクリーンで水路１を横切って設置される。３はフレームで、その一部で水路１のスクリーン２位置の直上を跨がせて、設立する。このフレーム３にホイスト４をスクリーン２の直上に対し進退自在に架設する。このホイスト４に、スクリーン２の面に対し昇降自在に、バケット５を傾吊する。
図示の例では、バケット５の端壁５ａに取り付けた枠５ｂにワイヤー３１を連結してある。
【００１５】
そして、バケット５の傾斜方向下端にその基板６に対し起伏自在の煽り壁７を設ける。煽り壁７は基板６と蝶番３２を介して連結される。煽り壁７の遊端の取付部３３に索条３４の一端を取付け、他端を基板６に設置したドラム３５に巻掛ける。このドラム３５を正逆回転することにより、索条３４の巻き取り、送出をなして、煽り壁７が起伏される。図４で分かる通り、起きた状態は二点鎖線状態となり、伏せた状態が実線状態となる。
【００１６】
スクリーン２に塵等が多量に引っかかっているのが分かったら、ホイスト４をフレーム３に沿って移動させ、スクリーン２の直上に来たら停止させる。ここでホイスト４を起動してバケット５を下降させる。バケット５の煽り壁７は伏せておく。
【００１７】
バケット５が下降すると煽り壁７の遊端縁がスクリーン２に当たる。バケット５が更に下降すると、煽り壁７はスクリーン２に引っかかっている塵等を掬いながらスクリーン２上を下降する。バケット５の基板６上への塵等の掬い込みが終えたら、煽り壁７を起こして塵等を囲い込み、ホイスト４を逆転してバケット５を上昇させる。次いでホイスト４を水平移動し、排出位置に来たらホイスト４を正転してバケット５を下降させ、煽り壁７を伏せて塵等を排出する。
【００１８】
スクリーン２の設置は水路１に介設された枡１１内でなされている。
この場合、水路１の断面が広くなり、スクリーン２の大型化が可能で、スクリーン２の広い面で集塵でき、除塵装置の大型化も可能となる。
【００１９】
バケット５は枠部材１２とメッシュ１３で構成されている。
この場合、水分はメッシュ１３を通って流出するので、重量が軽くなり、ホイスト４の駆動系に余計な負荷を掛けないで済む。
【００２０】
煽り壁７の揺動は電動機２１、互いに協働する一対のリミットスイッチ２２及び２３によって制御される。
この場合、ボタン操作により煽り壁７を起伏するので、労力を省ける。
リミットスイッチ２２及び２３の設置場所は適当でよいが、図示の例ではリミットスイッチ２２が煽り壁７の一側遊端に設置され、リミットスイッチ２３がバケット５の側壁５’の上縁面に設置される。リミットスイッチ２３の設置場所によっては側壁５’を省くこともできる。
【００２１】
【発明の効果】
本発明によれば、水路を横切ってスクリーンを設置し、フレームを、その一部で該水路の該スクリーン位置の直上を跨がせて、設立し、該フレームにホイストを該スクリーンの直上に対し進退自在に架設し、該ホイストに、該スクリーンの面に対し昇降自在に、バケットを傾吊し、該バケットの傾斜方向下端にその基板に対し起伏自在の煽り壁を設けたので、人手によらずに、スクリーンに引っかかった塵等を簡単に排除できる。
【００２２】
請求項２によれば、水路の断面を広くでき、スクリーンの大型化が可能で、スクリーンの広い面で集塵でき、除塵装置の大型化も可能となる。
【００２３】
請求項３によれば、該バケットは枠部材とメッシュで構成されているので、水分はメッシュを通って流出し、重量が軽くなって、ホイストの駆動系に余計な負荷を掛けないで済む。
【００２４】
請求項４によれば、該煽り壁の揺動は電動機及びリミットスイッチによって制御されるので、ボタン操作により煽り壁を起伏でき、労力を省ける。
【図面の簡単な説明】
【図１】本発明にかかる簡易除塵装置の具体例を示す一部切断側面図である。
【図２】平面図である。
【図３】バケットの正面図である。
【図４】同側面図である。
【符号の説明】
１    水路
２    スクリーン
３    フレーム
４    ホイスト
５    バケット
６    基板
７    煽り壁
１１  枡
１２  枠部材
１３  メッシュ
２１  電動機
２２  リミットスイッチ
２３  リミットスイッチ
【図１】
0003607876.tif 000002
【図２】
0003607876.tif 000003
【図３】
0003607876.tif 000004
【図４】
0003607876.tif 000005